(57)【要約】【課題】カートリッジ式スチールボールペンの調節器の提供。【解決手段】カートリッジ式スチールボールペンの調節器は、前方外殻７内に組み入れるものであり、調節器５の中心に備える貫通孔５１には綿芯６を設け、且つ、表面には導流片５２１により構成される複数の緩衝エリア５２を設置し、並びに、調節器５の末端には導流隙間５３を設け、また、調節器５の表面には漏れインク孔５４を設け、前記漏れインク孔５４は貫通孔５１に連結する。これにより、熱を受けて体積を膨張させて漏れたインクの緩衝をし、温度が戻った後はインクをカートリッジ式インク容器８内に戻すことが可能である故、インクが前方外殻７前端から噴出して汚染するのを防止し、インク浪費を減少させる。【選択図】図２
0003147734.tif 000002
【実用新案登録請求の範囲】
【請求項１】
前方外殻内に組み入れられるカートリッジ式スチールボールペンの調節器において、
前記調節器中心には綿芯を貫設する為の貫通孔を備え、しかも表面には複数の導流片により構成される複数の緩衝エリアを設置し、前記調節器の末端に近い箇所には導流隙間を設け、また、前記調節器の表面に備える漏れインク孔は前記貫通孔に連結することを特徴とするカートリッジ式スチールボールペンの調節器。
【請求項２】
請求項１記載のカートリッジ式スチールボールペンの調節器において、前記緩衝エリアの各導流片上には全て導流孔を備え、しかも相隣する二つの導流片の導流孔間には設定角度を設けることを特徴とするカートリッジ式スチールボールペンの調節器。
【請求項３】
請求項２記載のカートリッジ式スチールボールペンの調節器において、前記設定角度は１２０〜１８０度であることを特徴とするカートリッジ式スチールボールペンの調節器。
【請求項４】
請求項１記載のカートリッジ式スチールボールペンの調節器において、前記漏れインク孔は矩形であることを特徴とするカートリッジ式スチールボールペンの調節器。
【請求項５】
請求項１記載のカートリッジ式スチールボールペンの調節器において、前記漏れインク孔は円形であることを特徴とするカートリッジ式スチールボールペンの調節器。
【請求項６】
請求項１記載のカートリッジ式スチールボールペンの調節器において、前記漏れインク孔は多角形であることを特徴とするカートリッジ式スチールボールペンの調節器。
【請求項７】
請求項１記載のカートリッジ式スチールボールペンの調節器において、前記漏れインク孔は調節器の末端に近い箇所に設けることを特徴とするカートリッジ式スチールボールペンの調節器。
【請求項８】
請求項１記載のカートリッジ式スチールボールペンの調節器において、前記漏れインク孔は調節器の中段に近い箇所に設けることを特徴とするカートリッジ式スチールボールペンの調節器。
【請求項９】
請求項１記載のカートリッジ式スチールボールペンの調節器において、前記漏れインク孔は導流隙間の前端に設けることを特徴とするカートリッジ式スチールボールペンの調節器。
【請求項１０】
請求項１記載のカートリッジ式スチールボールペンの調節器において、前記漏れインク孔は導流隙間の後端に設けることを特徴とするカートリッジ式スチールボールペンの調節器。
【請求項１１】
請求項１記載のカートリッジ式スチールボールペンの調節器において、前記漏れインク孔は導流隙間の中断箇所に設けることを特徴とするカートリッジ式スチールボールペンの調節器。
【考案の詳細な説明】
【技術分野】
【０００１】
カートリッジ式スチールボールペンに使用する調節器において、本考案は特に、漏れインク緩衝効果を備える調節器に関するものである。
【背景技術】
【０００２】
我々がよく見掛ける筆記用具には、鉛筆、ボールペン、万年筆、スチールボールペン、及びローラーボールペン等があり、各種筆記用具にはそれぞれ適用する場所がある。スチールボールペンを例にとると、ボールペンのボール及び良好な流動性と速乾性のあるインクを採用することにより、非常にスムーズな書き心地が得られる。また、効果的な使用を可能にする為に、近年開発されたカートリッジ式スチールボールペンは、カートリッジ式インク容器が代替可能であることを長所とし、大幅な使用コストダウンが可能で、環境保護コンセプトにも符合するものである。
【０００３】
図１に示す通り、公知のカートリッジ式スチールボールペンは、その前方外殻１後端に固定体２を設け、固定体２の中心にはインクガイド管２１を配置して内部のインク通路２２と連結させ、インク通路２２のもう一端にはインクガイド用の綿芯３を挿入し、綿芯３の別の一端にはスチールボールペン先３１を設ける。これにより、カートリッジ式インク容器４を固定体２に嵌挿すると、インクガイド管２１はカートリッジ式インク容器４内に挿入され、インクはインク通路２２を経て綿芯３に流入、更に、綿芯３を経てスチールボールペン先３１にガイドされ、書くことが可能となる。
【０００４】
しかし、カートリッジ式スチールボールペンには適当な漏れインク緩衝構造がなく、温度の比較的高い環境に放置した場合、カートリッジ式インク容器４内のインクが体積膨張の為にインク通路２２から綿芯３と前方外殻１の空間に噴出することもある。甚だしい場合は、前方外殻１の前端から噴出して汚染を引き起こすことさえもある。更に加えて、インクは、カートリッジ式インク容器４から噴出した後、温度が回復したかどうかに関わらず、カートリッジ式インク容器４内に戻すことができず、インクはただ綿芯３と前方外殻１間で乾燥するだけであり、非常な無駄が生じる。
【考案の開示】
【考案が解決しようとする課題】
【０００５】
本考案の主な目的は、インク噴出による汚染を防止しインクの浪費を減少させる為の漏れインク緩衝を行うカートリッジ式スチールボールペンの調節器を提供することにある。
【０００６】
上述の目的を達成するため、本調節器の中心に貫通孔を設け、且つ、表面に導流片により構成される複数の緩衝エリアを設置し、並びに、調節器の末端には導流隙間を設け、また、調節器の表面には漏れインク孔を設け、前記漏れインク孔は貫通孔に連結する。組み立てる場合は、まず、綿芯を調節器の貫通孔内に貫設、更に調節器を前方外殻内に嵌入する。これにより、熱を受けて体積の膨張したインクは、漏れインク孔から噴出して緩衝エリアに流入し、導流片により形成される導流通路に沿って、徐々にペン先前端へ流動する。本考案は最長距離の導流通路を備えている為、十分な緩衝空間を備え、インクの直接噴出を防止することが可能である。更に、インクの温度が戻った後、導流隙間の設計により、インクはカートリッジ式インク容器８内に戻りインク浪費を減少させることが可能である。
【課題を解決するための手段】
【０００７】
請求項１の考案は、前方外殻内に組み入れられるカートリッジ式スチールボールペンの調節器において、
前記調節器中心には綿芯を貫設する為の貫通孔を備え、しかも表面には複数の導流片により構成される複数の緩衝エリアを設置し、前記調節器の末端に近い箇所には導流隙間を設け、また、前記調節器の表面に備える漏れインク孔は前記貫通孔に連結することを特徴とするカートリッジ式スチールボールペンの調節器としている。
請求項２の考案は、請求項１記載のカートリッジ式スチールボールペンの調節器において、前記緩衝エリアの各導流片上には全て導流孔を備え、しかも相隣する二つの導流片の導流孔間には設定角度を設けることを特徴とするカートリッジ式スチールボールペンの調節器としている。
請求項３の考案は、請求項２記載のカートリッジ式スチールボールペンの調節器において、前記設定角度は１２０〜１８０度であることを特徴とするカートリッジ式スチールボールペンの調節器としている。
請求項４の考案は、請求項１記載のカートリッジ式スチールボールペンの調節器において、前記漏れインク孔は矩形であることを特徴とするカートリッジ式スチールボールペンの調節器としている。
請求項５の考案は、請求項１記載のカートリッジ式スチールボールペンの調節器において、前記漏れインク孔は円形であることを特徴とするカートリッジ式スチールボールペンの調節器としている。
請求項６の考案は、請求項１記載のカートリッジ式スチールボールペンの調節器において、前記漏れインク孔は多角形であることを特徴とするカートリッジ式スチールボールペンの調節器としている。
請求項７の考案は、請求項１記載のカートリッジ式スチールボールペンの調節器において、前記漏れインク孔は調節器の末端に近い箇所に設けることを特徴とするカートリッジ式スチールボールペンの調節器としている。
請求項８の考案は、請求項１記載のカートリッジ式スチールボールペンの調節器において、前記漏れインク孔は調節器の中段に近い箇所に設けることを特徴とするカートリッジ式スチールボールペンの調節器としている。
請求項９の考案は、請求項１記載のカートリッジ式スチールボールペンの調節器において、前記漏れインク孔は導流隙間の前端に設けることを特徴とするカートリッジ式スチールボールペンの調節器としている。
請求項１０の考案は、請求項１記載のカートリッジ式スチールボールペンの調節器において、前記漏れインク孔は導流隙間の後端に設けることを特徴とするカートリッジ式スチールボールペンの調節器としている。
請求項１１の考案は、請求項１記載のカートリッジ式スチールボールペンの調節器において、前記漏れインク孔は導流隙間の中断箇所に設けることを特徴とするカートリッジ式スチールボールペンの調節器としている。
【考案の効果】
【０００８】
本考案は、インクが前方外殻前端から噴出する汚染を防ぎ、インク浪費を減少させる。次に、本考案の緩衝エリアは、複数の導流片によって構成される故、導流片に相隣する導流孔には設定角度を設ける。その設定角度は、１８０度を最良とし、インクの緩衝エリア内における流動距離を増加することが可能となる。本考案の漏れインク孔の設置位置には多種選択があり、インク排出圧力降下の効果を向上させる。
【考案を実施するための最良の形態】
【０００９】
図２〜４に示す通り、本考案の調節器５の中心に、貫通孔５１を設け、且つ、調節器５の表面に異なる数量の導流片５２１により構成される複数の緩衝エリア５２を設置する。緩衝エリア５２の各導流片５２１上には全て導流孔５２２を設け、相隣する二つの導流片５２１の導流孔５２２間には設定角度を設ける。設定角度は１２０〜１８０度であり、実際使用においては設定角度は１８０度が最良である（図に示す通り）。よって、緩衝エリア５２内に導流孔５２２を備える導流片５２１を間隔を開けて配列すると、導流用の通路が形成される。更に、調節器５の末端近くに設けた導流隙間５３は、前記の緩衝エリア５２の一部と連結しており、戻したいインクを案内する。また、調節器５の表面には、幾何学形状（例えば、矩形、円形、或いは多角形）の漏れインク孔５４を備えており、前記漏れインク孔５４は、前記の貫通孔５１と連結して漏れたインクに使用する。外に漏れたインクは緩衝エリア５２内に案内され、緩衝エリア５２の導流通路内を流動する。漏れインク孔５４の設置位置と外漏れインクの緩衝効果は相互関連している故、漏れインク孔５４を調節器５の末端近くに設置する（図中参照）。また、漏れインク孔５４を調節器５の中段近くに設置し、インクを中段から調節器５の両端方向に流動させて緩衝効果を達成する。
【００１０】
組み立てる場合、貫通孔５１内に貫設する綿芯６の前端にはスチールボールペン先６１を設け、カートリッジ式スチールボールペンの前方外殻７内に組み入れる。前方外殻７の末端に設ける固定体７１により本考案は位置を固定させ、固定体７１の中心には突出した貫通状態の管挿入部７２を備え、綿芯６を管挿入部７２内に挿入し、また、管挿入部７２の周囲縁には傾斜切口７３を設ける。使用する場合、カートリッジ式インク容器８の開口を前方外殻７の管挿入部７２に照準させて挿入すると、管挿入部７２によりカートリッジ式インク容器８前端の円形ボールが押されて開き、インクと綿芯６が繋がり、更にインクは綿芯６を経てスチールボールペン先６１に案内されて、書く事が可能となる。
【００１１】
図２、図５に示す通り、カートリッジ式インク容器８が熱を受けると、インクの体積が膨張し、カートリッジ式インク容器８内の圧力が増強される。よって、インクの圧力は漏れインク孔５４により低下し、インクは本考案の調節器５に排出される。その後インクは緩衝エリア５２内に形成する導流通路において流動し、導流片５２１上の導流孔５２２から次の導流片５２１’に流入し、並びに、二つの導流片５２１と導流片５２１’間において流動し、次の導流片５２１’の導流孔５２２’まで流動すると、更に次の導流片５２１”に流入する。本考案の二つの導流片５２１間の導流孔５２２の設定角度が１８０度である故、インク流動の距離は最長となり、最良の緩衝効果を備え、これによりインクが前方外殻７前端から直接噴出して汚染を引き起こすことを防止する。インクの温度が戻ると、導流隙間５３から緩衝エリア５２内のインクはカートリッジ式インク容器８内に戻り、インクの浪費を減少させる。
【００１２】
図６に示す通り、本考案の漏れインク孔５４は、例えば導流隙間５３前端、後端、または導流隙間５３の中段位置等の導流隙間５３上に備えることが可能であり、同様のインク排出、圧力降下効果を有し、金型製作の難易度を下げ、製造コストを削減する。
【００１３】
本考案を実施する場合には、下記のような長所がある。
（１）図２〜６に示す通り、カートリッジ式インク容器８の温度上昇時、本考案は漏れインク孔５４によってインク排出圧力降下を行い、並びに、インクを緩衝エリア５２内に形成する導流通路内に案内し、緩衝流動を行う。温度が戻ると、インクは導流隙間５３によって、緩衝エリア５２内のインクを戻す。よって、本考案は、インクが前方外殻７前端から噴出する汚染を防ぎ、インク浪費を減少させる。
（２）次に、本考案の緩衝エリア５２は、複数の導流片５２１によって構成され、導流片５２１に相隣する導流孔５２２には設定角度を設け、その設定角度は１８０度を最良としている故、インクの緩衝エリア５２内における流動距離を増加することが可能となる。
（３）本考案の漏れインク孔５４の設置位置には多種選択があり、インク排出圧力降下の効果を向上させる。
【００１４】
但し、前述したものは、単に本考案の実施例であるだけであり、本考案の実施範囲を限定するものではなく、導流片の間隔、漏れインク孔の設置位置等の方式変化は全て、本考案の範疇に含まれるものとする。よって、これらの技術に熟知する者によって為される同等もしくは簡単な変化等、例えば、漏れインク孔の位置を調節器の後端、中段、または導流隙間の前端、後端、中段にする等の変化は、本考案の精神と範囲の下に為される同等変化や修飾を逸脱しておらず、本考案の実用新案の出願範囲内に内含する。
【図面の簡単な説明】
【００１５】
【図１】公知のカートリッジ式スチールボールペンの部分構造断面図である。
【図２】本考案の実施例における組立て前の立体図である。
【図３】本考案の実施例における組立て後の断面図である。
【図４】本考案の実施例における組立て後の立体図である。
【図５】本考案の実施例におけるインク緩衝時の状態図である。
【図６】本考案のもう一つの実施例における立体図である。
【符号の説明】
【００１６】
１  前方外殻
２  固定体
２１  インクガイド管
２２  インク通路
３  綿芯
３１  スチールボールペン先
４  カートリッジ式インク容器
５  調節器
５１  貫通孔
５２  緩衝エリア
５２１  導流片
５２１’  導流片
５２１”  導流片
５２２  導流孔
５２２’  導流孔
５３  導流隙間
５４  漏れインク孔
６  綿芯
６１  スチールボールペン先
７  前方外殻
７１  固定体
７２  管挿入部
７３  傾斜切口
８  カートリッジ式インク容器
【図１】
0003147734.tif 000003
【図２】
0003147734.tif 000004
【図３】
0003147734.tif 000005
【図４】
0003147734.tif 000006
【図５】
0003147734.tif 000007
【図６】
0003147734.tif 000008